(57)【特許請求の範囲】
【請求項１】
商品を購入するときに参照される課金に関する課金コード情報を生成する認証サーバと、
２次元コードの読み取りが可能な携帯端末と、
予め登録された会員に関する情報を管理する会員情報管理サーバと、
を具備し、
前記認証サーバは、
商品を購入するときの購入可能な範囲を示す課金上限を含む課金情報と、
前記課金情報を特定するための課金コードＩＤとを生成し、
前記課金コードＩＤと前記課金情報とを前記会員情報管理サーバに送信し、
前記課金コードＩＤと前記課金上限とを含む前記課金コード情報を生成し、
前記課金コード情報から課金２次元コードを生成し、
前記携帯端末は、
前記課金２次元コードを読み取って、前記課金コード情報を取得し、
購入希望の商品の情報を特定する商品ＩＤを含む商品コード情報から生成された商品２次元コードを読み取って、前記商品コード情報を取得し、
前記商品ＩＤに対応する商品の購入が前記課金コード情報に含まれる前記課金上限内の場合、前記商品コード情報に含まれる前記商品ＩＤと前記課金コード情報に含まれる課金コードＩＤとを含む購入情報を生成し、
前記購入情報を、ネットワークを介して前記会員情報管理サーバに送信し、
前記会員情報管理サーバは、
前記課金コードＩＤと前記課金情報とを関連付けて保持し、
ネットワークを介して前記購入情報を受信し、
前記購入情報に含まれる前記商品ＩＤに対応する商品の購入を、前記購入情報に含まれる前記課金コードＩＤに対応する前記課金情報に基づき決済を確定する
商品販売システム。
【請求項２】
請求項１に記載の商品販売システムにおいて、
前記携帯端末は、
購入希望の商品の前記商品ＩＤに特定される価格を取得するか、
前記商品コード情報に含まれている商品の価格を用いて、
前記価格と購入希望の商品の個数とから購入金額を算出し、
前記購入金額と前記課金コード情報に含まれる前記課金上限とを比較し、
購入の可否を判断し、
購入可の場合は、前記購入情報を生成する
商品販売システム。
【請求項３】
請求項２に記載の商品販売システムにおいて、
前記携帯端末は、
前記購入金額も含んだ前記購入情報を生成し、
前記会員情報管理サーバは、
前記購入情報に含まれる前記購入金額と前記課金情報の前記課金上限とを比較して、購入可否を判断する
商品販売システム。
【請求項４】
請求項３に記載の商品販売システムにおいて、さらに、
販売される商品の情報を管理する商品情報管理サーバを備え、
前記商品情報管理サーバは、
前記商品２次元コードを生成し、
生成した前記商品２次元コードを前記携帯端末での読み取りが可能なメディアに提供する
商品販売システム。
【請求項５】
請求項１から４のいずれか１項に記載の商品販売システムにおいて、
前記認証サーバは、
会員ＩＤを含む前記課金コード情報を生成し、
前記携帯端末は、
前記会員ＩＤを予め保持し、
前記課金２次元コードを読み取って取得した前記課金コード情報に含まれる会員ＩＤと
予め保持していた会員ＩＤとの一致を判断し、
各会員ＩＤが一致しているときに前記購入情報を生成する
商品販売システム。
【請求項６】
請求項１から５のいずれか１項に記載の商品販売システムにおいて、
前記携帯端末は、
前記課金２次元コードを読み取った際に履歴を保持し、
前記購入情報を生成するときに、前記履歴が保持されているか否かの判断し、
前記履歴が保持されているときに前記購入情報を生成する
商品販売システム。
【請求項７】
請求項２に記載の商品販売システムにおいて、
前記認証サーバは、
決算方法も含めた前記課金情報を生成し、
前記会員情報管理サーバは、
前記購入情報に含まれる前記課金コードＩＤに対応する前記課金情報の決済方法にて、商品の購入を確定する
商品販売システム。
【請求項８】
請求項２に記載の商品販売システムにおいて、
前記会員情報管理サーバは、
前記課金コードＩＤと前記課金情報とを受け取ると、前記課金情報に含まれる前記課金上限を残金に加算し、保持し、
商品の購入後に、残金から前記購入金額を減算する
商品販売システム。
【請求項９】
２次元コードの読み取りが可能な携帯端末との情報通信が可能な商品販売システム用サーバであって、
商品を購入するときに参照される課金に関する課金コード情報を生成する認証部と、
予め登録された会員に関する情報を管理する会員情報管理部と、
を具備し、
前記認証部は、
商品を購入するときの購入可能な範囲を示す課金上限を含む課金情報と、
前記課金情報を特定するための課金コードＩＤとを生成し、
前記課金コードＩＤと前記課金情報とを前記会員情報管理部に送信し、
前記課金コードＩＤと前記課金上限とを含む前記課金コード情報を生成し、
前記課金コード情報から課金２次元コードを生成し、
前記会員情報管理部は、
前記課金コード情報と商品コード情報を取得した前記携帯端末から、前記商品コード情報に含まれる商品を特定する商品ＩＤと前記課金コード情報に含まれる課金コードＩＤとを含む購入情報がネットワークを介して前記会員情報管理部に送信されたとき、
前記課金コードＩＤと前記課金情報とを関連付けて保持し、
ネットワークを介して前記購入情報を受信し、
前記購入情報に含まれる前記商品ＩＤに対応する商品の購入を、
前記購入情報に含まれる前記課金コードＩＤに対応する前記課金情報に基づき決済を確定する
商品販売システム用サーバ。
【請求項１０】
ネットワークを介して商品を販売する商品販売システムに適用可能で２次元コードの読み取りが可能な携帯端末であって、
商品を購入するときの購入可能な範囲を示す課金上限を含む課金情報を特定するための課金コードＩＤを含む課金２次元コードを読み取って前記課金２次元コードに含まれる課金コード情報を取得し、
購入希望の商品の情報を特定する商品ＩＤを含む商品コード情報から生成された商品２次元コードを読み取って、前記商品２次元コードに含まれる前記商品コード情報を取得し、
前記商品ＩＤに対応する商品の購入が前記課金コード情報に含まれる前記課金上限内の場合、前記商品コード情報に含まれる前記商品ＩＤと前記課金コード情報に含まれる課金コードＩＤとを含む購入情報を生成し、
前記購入情報を、ネットワークを介して、
予め登録された会員に関する情報を管理する会員情報管理サーバに送信する
携帯端末。
【請求項１１】
請求項１０に記載の携帯端末において、
前記携帯端末は、
購入希望の商品の前記商品ＩＤに特定される価格を取得するか、
前記商品コード情報に含まれている商品の価格を用いて、
前記価格と購入希望の商品の個数とから購入金額を算出し、
前記購入金額と前記課金コード情報に含まれる前記課金上限とを比較し、
購入の可否を判断し、
購入可の場合は、前記購入情報を生成する
携帯端末。
【請求項１２】
請求項１１に記載の携帯端末において、
前記携帯端末の所有者を識別するための会員ＩＤを予め保持し、
前記課金２次元コードを読み取って前記課金コード情報に含まれる会員ＩＤを取得したとき、取得した会員ＩＤと予め保持していた会員ＩＤとが一致するか否かの判断を実行し、２つの会員ＩＤが一致しているときに前記購入情報を生成する
携帯端末。
【請求項１３】
請求項１２に記載の携帯端末において、
前記課金２次元コードを読み取ったか否かの履歴を保持し、
前記商品２次元コードに示される商品ＩＤと前記課金コード情報とを関連付けた購入情報を生成するときに、前記履歴が保持されているか否かの判断を実行し、前記履歴が保持されているときに前記購入情報を生成する
携帯端末。
【請求項１４】
コンピュータを、２次元コードの読み取りが可能な携帯端末との情報通信が可能な商品販売システム用サーバとして機能させるための手順を示す商品販売システム用サーバプログラムであって、
（ａ）商品を購入するときに参照される課金に関する課金コード情報を生成するステップと
（ｂ）予め登録された会員に関する情報を管理するステップと、
をコンピュータに実行させることによって、商品販売システム用サーバとして機能させるための手順を示し、
前記（ａ）ステップは、
商品を購入するときの購入可能な範囲を示す課金上限を含む課金情報と、前記課金情報を特定するための課金コードＩＤとを生成するステップと、
前記課金コードＩＤと前記課金情報とを前記予め登録された会員に関する情報を管理する会員情報管理部に送信するステップと、
前記課金コードＩＤと前記課金上限とを含む前記課金コード情報を生成するステップと、
前記課金コード情報から課金２次元コードを生成するステップと
を含み、
前記課金コード情報と商品コード情報を取得した前記携帯端末から、前記商品コード情報に含まれる商品を特定する商品ＩＤと前記課金コード情報に含まれる課金コードＩＤとを含む購入情報がネットワークを介して前記会員情報管理部に送信されたとき、
前記（ｂ）ステップは、
前記課金コードＩＤと前記課金情報とを関連付けて保持するステップと、
ネットワークを介して前記購入情報を受信するステップと、
前記購入情報に含まれる前記商品ＩＤに対応する商品の購入を、前記購入情報に含まれる前記課金コードＩＤに対応する前記課金情報に基づき決済を確定するステップ
を含む
商品販売システム用サーバプログラム。
【請求項１５】
商品を購入するときに参照される課金に関する課金コード情報を生成する認証サーバと、２次元コードの読み取りが可能な携帯端末と、予め登録された会員に関する情報を管理する会員情報管理サーバとを具備する商品販売システムの動作方法であって、
前記認証サーバは、
商品を購入するときの購入可能な範囲を示す課金上限を含む課金情報と、前記課金情報を特定するための課金コードＩＤとを生成し、
前記課金コードＩＤと前記課金情報とを前記会員情報管理サーバに送信し、
前記課金コードＩＤと前記課金上限とを含む前記課金コード情報を生成し、
前記課金コード情報から課金２次元コードを生成し、
前記携帯端末は、
前記課金２次元コードを読み取って、前記課金コード情報を取得し、
購入希望の商品の情報を特定する商品ＩＤを含む商品コード情報から生成された商品２次元コードを読み取って、前記商品コード情報を取得し、
前記商品ＩＤに対応する商品の購入が前記課金コード情報に含まれる前記課金上限内の場合、前記商品コード情報に含まれる前記商品ＩＤと前記課金コード情報に含まれる課金コードＩＤとを含む購入情報を生成し、
前記購入情報を、ネットワークを介して前記会員情報管理サーバに送信し、
前記会員情報管理サーバは、
前記課金コードＩＤと前記課金情報とを関連付けて保持し、
ネットワークを介して前記購入情報を受信し、
前記購入情報に含まれる前記商品ＩＤに対応する商品の購入を、前記購入情報に含まれる前記課金コードＩＤに対応する前記課金情報に基づき決済を確定する
商品販売システムの動作方法。
【請求項１６】
請求項１５に記載の商品販売システムの動作方法において、
前記携帯端末は、
購入希望の商品の前記商品ＩＤに特定される価格を取得するか、前記商品コード情報に含まれている商品の価格を用いて、前記価格と購入希望の商品の個数とから購入金額を算出し、
前記購入金額と前記課金コード情報に含まれる前記課金上限とを比較し、
購入の可否を判断し、
購入可の場合は、前記購入情報を生成する
商品販売システムの動作方法。
【請求項１７】
請求項１６に記載の商品販売システムの動作方法において、
前記携帯端末は、
前記購入金額も含んだ前記購入情報を生成し、
前記会員情報管理サーバは、
前記購入情報に含まれる前記購入金額と前記課金情報の前記課金上限とを比較して、購入可否を判断する
商品販売システムの動作方法。
【請求項１８】
請求項１７に記載の商品販売システムの動作方法において、
前記商品販売システムが、さらに、販売される商品の情報を管理する商品情報管理サーバを備えるとき、
前記商品情報管理サーバは、
前記商品２次元コードを生成し、
生成した前記商品２次元コードを前記携帯端末での読み取りが可能なメディアに提供する
商品販売システムの動作方法。
【請求項１９】
請求項１５から１８のいずれか１項に記載の商品販売システムの動作方法において、
前記認証サーバは、
前記会員ＩＤを含む前記課金コード情報を生成し、
前記携帯端末は、
前記会員ＩＤを予め保持し、
前記課金２次元コードを読み取って取得した前記課金コード情報に含まれる会員ＩＤと
予め保持していた会員ＩＤとの一致を判断し、
各会員ＩＤが一致しているときに前記購入情報を生成する
商品販売システムの動作方法。
【請求項２０】
請求項１５から１９いずれか１項に記載の商品販売システムの動作方法において、
前記携帯端末は、
前記課金２次元コードを読み取った際に履歴を保持し、
前記購入情報を生成するときに、前記履歴が保持されているか否かの判断し、
前記履歴が保持されているときに前記購入情報を生成する
商品販売システムの動作方法。
【請求項２１】
請求項１６に記載の商品販売システムの動作方法において、
前記認証サーバは、
決算方法も含めた前記課金情報を生成し、
前記会員情報管理サーバは、
前記購入情報に含まれる前記課金コードＩＤに対応する前記課金情報の決済方法にて、商品の購入を確定する
商品販売システムの動作方法。
【請求項２２】
請求項１６に記載の商品販売システムの動作方法において、
前記会員情報管理サーバは、
前記課金コードＩＤと前記課金情報とを受け取ると、前記課金情報に含まれる前記課金上限を残金に加算し、保持し、
商品の購入後に、残金から前記購入金額を減算する
商品販売システムの動作方法。
【発明の詳細な説明】
【技術分野】
【０００１】
本発明は、商品販売システムに関し、特に、２次元バーコード・ＱＲコード（登録商標）などの２次元コードを使用した商品販売システムに関する。
【背景技術】
【０００２】
TVや雑誌、看板などへ商品広告を出したときに、購買意欲の出たユーザを即時、購入行為に移らすために、商品紹介ページのＵＲＬを組み込んだ２次元コードを広告に表示しておく技術が知られている。このような技術を用いた商品販売システムにおいては、ユーザは、その２次元コードに組み込まれたＵＲＬに従って、携帯端末などで商品紹介ページにアクセスすることができる。そのため、ＵＲＬの入力等の煩雑な作業を行なうことなく購入対象の商品を購入することが可能となる。
【０００３】
一般的に、ネットワークを利用した商品販売システムの様々な場面では、商品の購入の際にユーザ認証が行われる。ユーザ認証は、例えば、会員として登録されているユーザ毎に、それぞれ割り当てられているＩＤ及びパスワードの組合せをデータベース装置に予め記録しておく。そして、何れかの利用者コンピュータからアクセスされると、その利用者コンピュータに対して操作者のＩＤ及びパスワードの送信を要求する。これに応答して利用者コンピュータが送信してきたＩＤ及びパスワードの組合せがデータベース装置に登録されているか否かをチェックして、登録されている場合に、当該ユーザが会員であると認証する。
【０００４】
ユーザに複雑なＩＤ及びパスワードの記憶を強いることなく認証可能とする認証方法を提供する技術が知られている（例えば、特許文献１参照）。特許文献１に記載に技術では、携帯電話認証用ＤＢに、各会員が所持する携帯電話の固体識別情報が、夫々のＩＤに関連付けられて記憶されている。また、サービス用ホストプログラムは、利用者ＰＣからサービス利用の要求があると、一意の識別子を生成し、当該識別子をメモリに記憶するとともに、当該識別子をパラメータとして含む認証用ホストコンピュータのＵＲＬをＱＲコードに変換し、利用者ＰＣへ送信している。このＱＲコードを要求元会員がＵＲＬにデコードし、当該ＵＲＬにアクセスする操作を行うと、識別子を含むＵＲＬ及び当該利用者携帯電話の固体識別情報を含むＨＴＴＰリクエストメッセージが、認証用ホストコンピュータへ送信され、メッセージ中の固体識別情報が携帯電話認証用ＤＢに基づいて認証しサービス用ホストコンピュータに通知している。
【先行技術文献】
【特許文献】
【０００５】
【特許文献１】特開２００８−１４６３６３号公報
【発明の概要】
【発明が解決しようとする課題】
【０００６】
ネットワークを利用した商品販売システムでは、例えば、顧客(ユーザ)が商品紹介ページに誘導しても、購入が成立するには、更に購入行為を行なわせなくてはならない。通常、顧客のユーザ認証以外にも、課金情報の登録等を主な購入行為として行なわなくてはならず、手間がかかることで購入を断念するケースが多くあった。
【課題を解決するための手段】
【０００７】
上記の課題を解決するために、２次元コードの読み取りが可能な携帯端末と、予め登録された会員に関する情報を管理する会員情報管理サーバと、商品を購入するときに参照される課金に関する情報（課金情報）を２次元コードに変換する認証サーバと、２次元コードを表示する表示装置とを具備する商品販売システムを構築する。
携帯端末は、表示された２次元コードを読み取って２次元コードに含まれる課金コード情報を取得し、購入希望の商品の情報を含む商品２次元コードを読み取ったときに、商品２次元コードに示される商品ＩＤと課金コード情報とを関連付けた購入情報を生成して会員情報管理サーバに供給する。会員情報管理サーバは、ネットワークを介して購入情報を受け取ったときに、購入情報に含まれる商品ＩＤに対応する商品の購入を確定する。
【発明の効果】
【０００８】
本願において開示される発明のうち、代表的なものによって得られる効果を簡単に説明すれば、あらかじめ商品購入に必要な課金情報を移動体端末に保持させることで、時と場所を選ばず商品を購入できるという効果がある。
【図面の簡単な説明】
【０００９】
【図１】図１は、本実施形態の商品販売システム１の構成を例示するブロック図である。
【図２Ａ】図２Ａは、課金コード情報２１の構成を例示する図である。
【図２Ｂ】図２Ｂは、課金コード情報２１の構成を例示する図である。
【図３】図３は、購入情報２２の構成を例示する図である。
【図４】図４は、会員情報管理テーブル２３の構成を例示する図である。
【図５】図５は、購入情報管理テーブル２４の構成を例示する図である。
【図６Ａ】図６Ａは、課金情報の構成を例示する図である。
【図６Ｂ】図６Ｂは、課金情報テーブルの構成を例示する図である。
【図７Ａ】図７Ａは、商品コード情報テーブル３１の構成を例示する図である。
【図７Ｂ】図７Ｂは、商品コード情報の構成を例示する図である。
【図８】図８は、本実施形態の商品販売システム１における商品購入の動作を例示するフローチャートである。
【図９】図９は、携帯端末２から供給された購入情報２２を受け取った会員情報管理サーバ３の動作を例示するフローチャートである。
【図１０】図１０は、本実施形態の課金コード情報２１を生成する動作を例示するシーケンス図である。
【図１１】図１１は、会員情報２５を会員情報管理テーブル２３に登録する動作を例示するシーケンス図である。
【図１２】図１２は、販売対象の商品の２次元コードを生成する動作を例示するシーケンス図である。
【図１３】図１３は、第２実施形態の商品販売システム１における商品購入の動作を例示するフローチャートである。
【図１４】図１４は、第３実施形態の商品販売システム１における商品購入の動作を例示するフローチャートである。
【図１５】図１５は、第４実施形態の会員情報管理テーブル２３の構成を例示する図である。
【図１６】図１６は、第４実施形態の動作を例示するシーケンス図である。
【発明を実施するための形態】
【００１０】
［第１実施形態］
以下、本発明の実施の形態を図面に基づいて説明する。なお、実施の形態を説明するための図において、同一の部材には原則として同一の符号を付し、その繰り返しの説明は省略する。
【００１１】
図１は、本実施形態の商品販売システム１の構成を例示するブロック図である。商品販売システム１は、課金コード情報と商品コード情報を組み合わせて購入情報を作成する携帯端末２と、ユーザの認証に関わる情報や決済方法などの会員情報を管理する会員情報管理サーバ３と、ユーザを会員と認証した場合、会員情報を取得し、課金情報と、課金情報のコードを管理する課金コード情報を作成し、２次元コード化する認証サーバ４と、商品情報を管理し、商品を特定する商品ＩＤを生成し、２次元コード化し、商品の発送手続きを行う商品情報管理サーバ５と、認証に関わる情報を認証サーバに送信し、２次元コードを表示するユーザ端末装置６と、２次元コード表示用メディア７とを備えている。
【００１２】
なお、以下の実施形態では、本願発明の理解を容易にするために、会員情報管理サーバ３、認証サーバ４、商品情報管理サーバ５が独立の装置である場合を例示している。この構成は、本実施形態の各サーバの構成を限定するものではない。例えば、会員情報管理サーバ３と認証サーバ４とがコンピュータプログラムとして提供され、同一の装置内でサーバ機能を提供するような構成であっても良い。また、サーバの機能の一部が、他のサーバに含まれて機能してもよい。
【００１３】
携帯端末２は、２次元コードの読み取り機能が備えられた携帯型の通信端末である。携帯端末２は、カメラ１１と、デコード部１２と、課金コード情報保持部１３と、購入情報生成部１４と、購入情報送信部１５とを備えている。
【００１４】
携帯端末２は、課金コード情報と商品コード情報を取得すると購入情報を作成し、会員管理サーバに送信する機能を備えている。ユーザは、携帯端末２のカメラ１１を用いて、２次元コードを撮影する。デコード部１２は、撮影された２次元コードに含まれる情報を読み取る。課金コード情報保持部１３は、課金コード情報２１を格納する。購入情報生成部１４は、購入対象の商品の情報と課金コード情報２１とを含む購入情報２２を生成する。購入情報送信部１５は、その購入情報２２を会員情報管理サーバ３に送信する。また商品情報管理サーバに、商品ＩＤに紐付く商品情報の送信を依頼し、商品情報を取得し、表示する機能を備えても良い。
【００１５】
購入情報生成部１４は、商品情報と課金情報を合致し購入情報を作成するためのプログラムであり、予め携帯端末２に組み込まれていることが好ましい。購入情報生成部１４が、アプリケーションのような形態をとり、購入情報生成部１４の組み込み作業は、ユーザの動作によって、アプリのダウンロード、インストールを指示することにより組み込まれる構成でもよい。購入情報生成部１４は、携帯端末２の記憶領域に格納され、その動作については、ユーザの指示があれば携帯端末２の制御部を用いて、動作を実施する。
【００１６】
会員情報管理サーバ３は、商品販売システム１が会員制である場合の会員の情報を保持している。会員情報管理サーバ３は、会員情報管理テーブル２３と、購入者情報管理テーブル２４とを備えている。会員情報管理テーブル２３は、複数の会員情報２５を保持している。購入情報管理テーブル２４は、受け取った購入情報２２を保持している。具体的には、会員情報管理サーバ３によって、会員の住所、名前、クレジットカード番号などの決済方法、課金上限(上限金額、使用期限)が管理されている。また、会員情報管理サーバ３は、課金情報テーブルを備えている。課金情報テーブルは、認証サーバで作成された複数の課金情報２８を保持している。
【００１７】
認証サーバ４は、ユーザの認証と、課金コード情報２１の生成を行なう。認証サーバ４は、ユーザ認証実行部２６と、課金コード情報生成部２７とを備えている。ユーザ認証実行部２６は、会員ＩＤとパスワードを受け取って、ユーザ認証を実行する。課金コード情報生成部２７は、認証が完了した会員の課金コード情報２１を生成する。課金コード情報２１は、課金コードＩＤ２９と課金上限を少なくとも含んでいる。課金コード情報生成部２７は、課金コード情報から２次元コードを生成する。換言すると、ユーザが入力した認証情報（会員ＩＤとパスワード）を、会員情報管理サーバ３に照会する。そして、照会が成功したら、課金上限を取得し、会員ＩＤと、課金上限を含む課金情報と、課金情報を識別する課金コードＩＤとを作成し、課金コードＩＤと課金上限とを含む課金コード情報を作成し、課金コード情報から課金２次元コードを生成する。作成された課金情報は会員情報管理サーバ３に送られ、課金情報テーブルで管理される。会員情報管理サーバ３から会員ＩＤに対応する決済方法を取得し、決済方法も課金情報に含めてもよい。生成された課金コード情報の２次元バーコードは、認証サーバ４または会員情報管理サーバ３の少なくとも一方で管理されることが好ましい。
【００１８】
商品情報管理サーバ５は、販売対象の商品の情報を管理する。商品情報管理サーバ５は、商品情報３２より少なくとも商品ＩＤ（例えば、その商品の情報を紹介するページのＵＲＬ）を読み出し、少なくとも商品ＩＤを含む商品コード情報を生成し、商品コード情報から商品２次元コードを生成する。この商品コード情報には価格等のその他の商品関わる情報を含めてもよい。この商品２次元コードは、ＥＣサイトや電子広告、テレビ番組や街頭広告などに表示する。また、商品情報管理サーバ５は、商品情報と商品コード情報を管理し、問い合わせがあったときに、商品ＩＤに紐付く商品情報を携帯端末２に送信する機能を備えている。
【００１９】
ユーザ端末装置６は、ユーザが利用可能な端末装置である。ユーザ端末装置６は、表示部３３と、入力部３４とを備えている。表示部３３は、認証サーバ４から供給される課金２次元コード４１を表示する。入力部３４は、ユーザ認証を行なう場合に、会員ＩＤとパスワードを入力する。
２次元コード表示用メディア７は、商品２次元コード４２の表示が可能な媒体である。例えば、テレビ画面や店頭モニター、雑誌の記事などが、本実施形態の２次元コード表示用メディア７に該当する。
【００２０】
図２Ａ、図２Ｂは、課金コード情報２１の構成を例示する図である。図２Ａに示されているように、課金コード情報２１は、課金コードＩＤ２９と課金上限とを含んでいる。また、図２Ｂに示されているように、他に、会員ＩＤや課金情報を作成した作成日時を含んでも良い。課金コードＩＤ２９は、課金情報を特定するためのＩＤである。課金コードＩＤ２９は、会員ＩＤと、課金情報を作成した作成日時とから作成しても、文字や数字、記号を用いて作成しても、課金情報を識別できるユニークなＩＤならよい。課金上限は、課金情報の使用回数や使用期限、上限金額などの少なくとも１つに関する情報を含んでいる。
【００２１】
図３は、購入情報２２の構成を例示する図である。本実施形態の購入情報２２は、購入した商品の情報と、課金コード情報２１に含まれる課金コードＩＤ２９と購入コードＩＤを含んでいる。購入した商品の情報は、商品ＩＤと、その商品の購入個数とを含んでいる。また、購入した商品の情報に、その商品の価格または購入価格が含まれていてもよい。また、購入情報２２には、課金コード情報の作成日時や課金上限が含まれていても良い。
【００２２】
図４は、会員情報管理テーブル２３の構成を例示する図である。会員情報管理テーブル２３は複数の会員の各々に対応する会員情報２５を備えている。各会員情報２５は、会員ＩＤに、認証用のパスワードと、会員の指名と、住所などが関連付けられている。また、会員情報２５には、商品の購入に必要な情報が含まれている。例えば、決済方法と課金上限に関する情報が含まれている。
【００２３】
図５は、購入者情報管理テーブル２４の構成を例示する図である。購入者情報管理テーブル２４は、複数の購入情報２２を備えている。複数の購入情報２２の各々は、商品ＩＤと、購入金額と、購入個数と、課金コードＩＤと、会員ＩＤと、作成日時とを関連付けた状態で購入者情報管理テーブル２４に保持されている。また、購入情報２２は、課金上限を含んでもよい。
【００２４】
図６Ａは、課金情報の構成を例示する図である。課金情報は、会員ＩＤに対し、課金情報を作成した作成日時と課金上限に関する情報とが関連付けられている。また、課金情報の各々に対し、課金情報を識別する課金コードＩＤが関連付けられている。図６Ｂは、課金情報テーブルの構成を例示する図である。図６Ｂに示されているように、課金情報テーブルは、複数の課金情報を備えている。
【００２５】
図７Ａは、商品情報テーブル３１の構成を例示する図である。図７Ｂは、商品コード情報の構成を例示する図である。商品情報テーブル３１は、複数の商品情報３２を含んでいる。複数の商品情報３２の各々は、商品ＩＤに対し、商品名、型番、価格、メーカー等の情報を関連付けた状態で商品情報テーブル３１に保持されている。商品情報管理サーバ５は、少なくとも商品ＩＤを商品コード情報として保持している。
【００２６】
図８は、本実施形態の商品販売システム１における商品購入の動作を例示するフローチャートである。ステップＳ１０１において、ユーザは、携帯端末２のカメラ１１を使用して、ユーザ端末装置６に表示された課金２次元コード４１を撮影する。携帯端末２のデコード部１２は、撮影された課金２次元コード４１をデコードして課金コード情報２１を取得する。
【００２７】
ステップＳ１０２において、ユーザは、携帯端末２を使用して、商品販売システム１に対応した商品購入用のアプリケーション・プログラムを起動する。そして、そのアプリケーション・プログラムに示される手順に従って、商品２次元コード４２を撮影する。携帯端末２のデコード部１２は、その商品の商品２次元コード４２を商品コード情報にデコードし、商品コード情報に含まれる情報から商品ＩＤを取得する。
【００２８】
ステップＳ１０３において、携帯端末２は、課金コード情報保持部１３に課金コード情報２１が格納されているか否かの判断を実行する。その判断の結果、課金コード情報２１が格納されている場合には、処理はステップＳ１０４に進み、格納されていなかった場合には、処理はステップＳ１０１に戻る。このとき、ステップＳ１０１の動作をユーザに即すメッセージを携帯端末に表示してもよい。
【００２９】
ステップＳ１０４において、購入対象の商品に対する課金コード情報２１の有効・無効の判定を実行する。例えば、商品ＩＤ（例えば、その商品の情報を紹介するページのＵＲＬ）を用いて、商品情報管理サーバ５にネットワークを介して接続し、購入対象の商品の商品ＩＤに対応する価格を取得するか、商品コード情報に含まれる価格により、その価格が課金コード情報に含まれる課金上限（上限金額）を上回った場合や、課金コード情報に含まれる課金上限（使用期限）が過ぎている場合、課金コード情報に含まれる課金上限（使用回数）が過ぎている場合には、課金コード情報が無効であると判定し、処理は終了する。課金コード情報が有効だった場合、処理はステップＳ１０５に進む。
【００３０】
ステップＳ１０５において、商品購入用のアプリケーション・プログラムに従って、商品コード情報の商品の購入個数を入力がされると、その商品の価格（上述のように商品情報管理サーバ５から取得するか、商品コード情報に含まれる）と購入個数を乗算し、購入金額を表示し、購入意思を確認する。ユーザが購入意思を決定すると、購入情報生成部１４は、課金コード情報に含まれる課金コードＩＤと商品ＩＤ、購入個数とを含む購入情報２２を生成する。この際に、購入金額を購入情報に含めてもよい。なお、商品ＩＤと課金コードＩＤがＵＲＬの場合、商品ＩＤのＵＲＬから商品を特定する部分を切り出し、課金コードＩＤのＵＲＬに付加して、購入情報のＵＲＬを作成する。ステップＳ１０６において、購入情報送信部１５は、その購入情報２２を、会員情報管理サーバ３に送信する。
【００３１】
図９は、携帯端末２から供給された購入情報２２を受け取った会員情報管理サーバ３の動作を例示するフローチャートである。ステップＳ２０１において、会員情報管理サーバ３は、ネットワークを介して供給される購入情報２２を受け取る。
【００３２】
ステップＳ２０２において、購入情報２２に記載されている情報が適切か否かの判断を会員情報管理サーバの判断部が実行する。例えば、購入情報に含まれる購入金額が、購入情報に含まれる購入コードＩＤに対応する課金情報テーブルに記憶された課金上限の上限金額を超えていた場合、又は購入情報の作成日時、または購入情報の受信日時が、課金情報テーブルの課金上限の使用期限を超過していた場合、購入情報に含まれる購入コードＩＤに対応する課金情報テーブルに記憶された課金上限の使用回数を超過していた場合は不適切と判断する。その判断の結果、不適切な情報が含まれている場合には、処理は終了する。その判断部が判断した結果、購入情報２２の情報が適切だと判断された場合には、処理はステップＳ２０３に進む。
【００３３】
ステップＳ２０３において、会員情報管理サーバ３は、購入情報２２に含まれている商品ＩＤに対応する商品の購入を、課金コードＩＤに対応する決済方法に基づいて決済や課金コードＩＤに対応する会員ＩＤに商品発送などの処理を実行する。また、認証サーバに記憶されているその課金情報を無効にするか、購入金額（商品情報管理サーバに商品ＩＤに紐付く商品の価格の情報を要求し、ユーザが指定した購入個数に価格を乗じて算出、または、購入情報に含まれている）分の金額を、その会員ＩＤに対応する会員情報管理テーブルの残金から減らす、
又は課金上限の使用回数を減らす。商品発送処理の例としては、例えば、商品情報管理サーバ５に課金コード情報で特定される会員ＩＤの住所（会員情報を参照する）に、商品ＩＤで特定される商品を個数分発送するための発送処理の指示を送信する。発送処理は商品情報管理サーバ５に発送指示を送信せずに、会員処理サーバが商品の発送手配を直接行なってもよい。
【００３４】
図１０は、本実施形態の課金コード情報２１を生成する動作を例示するシーケンス図である。本実施形態の商品販売システム１においては、例えば、ユーザ端末装置６に備えられた課金コード情報２１生成用のアプリケーションにプログラムに従って動作することで、課金コード情報２１が生成される。
【００３５】
図１０を参照すると、ステップＦ０１において、ユーザは、ユーザ端末装置６の入力部３４などを使用して、認証サーバ４に対し会員ＩＤとパスワードの入力を行なう。ステップＦ０２において、認証サーバ４のユーザ認証実行部２６は、入力された会員ＩＤとパスワードを用いてユーザ認証を実行する。
【００３６】
ステップＦ０３において、認証サーバ４は、会員情報管理サーバ３の会員情報管理テーブル２３から、ユーザ認証の完了した会員ＩＤの会員情報２５を抽出する。ステップＦ０４において、その会員情報２５から課金上限の項目など（決算方法の項目を含めてもよい）の課金に関する情報の出力を要求する。
【００３７】
ステップＦ０５において、認証サーバ４は、会員情報管理サーバ３から供給された課金上限などの課金に関する情報を受け取る。ステップＦ０６において、認証サーバ４の課金コード情報生成部２７は、会員ＩＤと課金上限とを含む課金情報を生成する。課金情報には、決済方法などを含めてもよい。課金コード情報生成部２７は、その課金情報を会員情報管理サーバに送信する。会員情報管理サーバは、課金情報を受け取り、課金情報テーブルに格納する（Ｆ１２）。また認証サーバ４は、同時に、課金情報を特定する情報（例えば、会員ＩＤと作成日時の組み合わせや、文字や数字、記号を用いたユニークな列）である課金コードＩＤを作成し、記憶部に課金情報と対応付けて課金コード情報として格納する。課金コードＩＤは課金情報を確認するＷｅｂページのＵＲＬでもよく、課金情報はこのＷｅｂページから端末に送ってもよい。課金コードＩＤが会員ＩＤと作成日の組み合わせの場合、課金コード情報の課金情報ではその会員ＩＤと作成日は省略されても良い。
【００３８】
ステップＦ０７において、生成された課金コードＩＤと課金情報とを含む課金コード情報を生成する。ステップＦ０８において、生成された課金コードＩＤと課金上限とを含む課金コード情報を生成する。課金コード情報には会員ＩＤも含めてもよい。
【００３９】
ステップＦ０９において、ユーザ端末装置６の表示部３３は、２次元コードに変換された課金コード情報を表示する。ステップＦ１０において、ユーザは携帯端末２のカメラ１１を使用して、表示されている課金２次元コード４１を撮影する。ステップＦ１１において、携帯端末２のデコード部１２は、撮影された課金２次元コード４１をデコードし、課金コード情報を取得し課金コード情報保持部１３に格納する。課金コード情報は暗号化されたデータであっても良い。この場合、端末内のアプリケーションで復号化し取り込む構成であることが好ましい。
【００４０】
図１１は、会員情報２５を会員情報管理テーブル２３に登録する動作を例示するシーケンス図である。本実施形態において、ユーザが商品を購入するためには、あらかじめ自身の会員情報を会員情報管理サーバに登録されていることが好ましい。ユーザ自身の会員情報の内容として、課金に必要な情報（ユーザを特定する会員ＩＤ、ＰＷ、決済方法、課金上限）を会員情報管理サーバ３が保持している必要がある。なお、用途に応じて名前、住所等の個人情報も含めてもよい。
【００４１】
ステップＦ２１において、ユーザはユーザ端末装置６を介して会員情報管理サーバ３にアクセスする。ステップＦ２２において、会員情報管理サーバ３の制御部は、ユーザ端末装置６をから供給される命令に応答して会員情報登録用アプリケーション・プログラムを起動する。ステップＦ２３において、会員情報管理サーバ３は、そのアプリケーション・プログラムに示される手順に従って、会員情報の入力用画面をユーザ端末装置６にＷｅｂ等を用いて表示する。ステップＦ２４において、ユーザはユーザ端末装置６に表示された入力用画面を用いて、指名、住所などの会員の個人情報を入力する。また、課金情報（課金上限等の情報）を入力する。また、携帯端末２のＩＤなどを登録する仕様であっても良い。ステップＦ２５において、会員情報管理サーバ３は、入力された情報を会員情報管理テーブル２３に書き込んで、内容を更新する。登録後、会員には会員である証拠として会員ＩＤ，ＰＷが付与されてもよい。
【００４２】
図１２は、販売対象の商品の２次元コードを生成する動作を例示するシーケンス図である。ユーザ（以下、商品管理者と記載します）は商品管理者用装置により、商品管理サーバに商品ごとの商品情報を事前登録する。この登録には商品情報管理サーバの制御部が管理者装置の呼び出しにより、商品管理者向け作業画面をWeb等で表示する仕組みを用いる。入力された商品情報は商品管理サーバの記憶部に格納される。
【００４３】
ステップＦ３１において、商品管理者用装置を介して商品情報管理サーバ５にアクセスする。ステップＦ３２において、商品情報管理サーバ５は、商品管理者用装置からの命令に応答して商品情報登録用アプリケーション・プログラムを起動する。ステップＦ３３において、商品情報管理サーバ５は、そのアプリケーション・プログラムに示される手順に従って、商品情報の入力用画面を商品管理者用装置に表示する。
【００４４】
ステップＦ３４において、商品管理者は、商品管理者用装置に表示された入力用画面を用いて、商品名や価格などの商品情報を入力する。ステップＦ３５において、商品情報管理サーバ５は、入力された商品情報を商品情報テーブル３１に書き込んで、内容を更新する。その際に商品情報を特定する商品ＩＤを生成し、商品情報に関連付けて商品情報テーブル３１に記憶する。
【００４５】
ステップＦ３６において、商品管理者用装置を介して、２次元コードの作成指示を商品情報管理サーバ５に供給する。ステップＦ３７において、商品情報管理サーバ５は、その指示に対応して商品ＩＤを含む商品コード情報を生成し、商品コード情報を２次元コードに変換し、商品２次元コード４２を作成する。その際に、商品コード情報に商品名や価格などの商品情報を含めても構わない。なお、商品ＩＤは商品情報を確認するＷｅｂページのＵＲＬでもよく、商品情報はこのＷｅｂページから、ユーザが商品を選択したときに商品情報を端末に送ってもよい。商品情報管理サーバ５は、作成した商品ＩＤを含む２次元コードのデータを商品管理者用装置に供給する。商品管理者は、その商品ＩＤを含む２次元コードを所定のメディア（商品のＥＣサイトや電子広告や看板、テレビ等の媒体、２次元バーコードを含む紙媒体）に掲載する。
【００４６】
上述のように、本実施形態の商品販売システム１は、携帯端末２を使用して商品を購入する際に、課金に関する情報を、タッチパネルや携帯端末キーボードを用いて手で入力する必要が無くなる。このように、顧客があらかじめ、自宅ＰＣ（ユーザ端末装置６）等で移動体端末（携帯端末２）に課金コード情報を組み込ませ、街頭の広告等から商品コード情報がその移動体端末に取り込むことができ、上記、課金コード情報と商品コード情報を用いることで商品購入を確定する情報を作成することができる。顧客からすると、あらかじめ商品購入に必要な課金情報を移動体端末に保持させることで、時と場所を選ばず商品を購入できる。
【００４７】
［第２実施形態］
以下に、図面を参照して、本願発明の第２実施形態について説明を行なう。図１３は、第２実施形態の商品販売システム１における携帯端末２の動作を例示するフローチャートである。図１３のフローチャートは、図８に例示した動作と異なる携帯端末２の、動作を例示している。また、第２実施形態の商品販売システム１において、携帯端末２には、予め会員ＩＤが保持されている。また、第２実施形態の課金コード情報２１は、課金コードＩＤ２９と課金上限と会員ＩＤを含んでいる。
【００４８】
図１３を参照すると、ステップＳ１０１〜ステップＳ１０４までは、図８のフローチャートの動作と同様に処理が行われる。第２実施形態では、ステップＳ１０４での判断の結果、課金コード情報が有効であると判断された場合、処理はステップＳ３０１に進む。
【００４９】
ステップＳ３０１において、課金コード情報の会員ＩＤと携帯端末２に保持されている会員ＩＤとの照合を行なう。その照合の結果、不一致の場合には処理は終了する。両方の会員ＩＤが一致した場合、処理はステップＳ１０５に進む。その後、図８のフローチャートの動作と同様に処理が行われる。
【００５０】
第２実施形態の商品販売システム１では、携帯端末２の制御部は、課金コード情報内の会員ＩＤと携帯端末２の記憶部に格納されている会員ＩＤとが適合するか否かを確認している。これによって、誤った購入情報が作成される不具合を抑制することが可能となる。
【００５１】
［第３実施形態］
以下に、図面を参照して、本願発明の第３実施形態について説明を行なう。図１４は、第３実施形態の商品販売システム１における携帯端末２の動作を例示するフローチャートである。図１４のフローチャートは、図８や図１３に例示した動作と異なる携帯端末２の動作を例示している。また、第３実施形態の商品販売システム１において、携帯端末２は、カメラ１１による撮影履歴を保存する機能を備えているものとする
【００５２】
図１４を参照すると、ステップＳ１０１において、ユーザは、携帯端末２のカメラ１１を使用して、ユーザ端末装置６に表示された課金２次元コード４１を撮影する。携帯端末２は、課金２次元コードが撮影されると、撮影日時と課金２次元コードを撮影した旨の撮影履歴を記憶する。その後ステップＳ１０２〜ステップＳ１０４までは、図８のフローチャートの動作と同様に処理が行われる。第３実施形態では、ステップＳ１０４での判断の結果、課金コード情報が有効であると判断された場合、処理はステップＳ３０２に進む。
【００５３】
ステップＳ３０２において、課金２次元コードを撮影した撮影履歴が保存されているか否かの判断を実行する。その判断の結果、撮影履歴が残っていない場合には処理は終了する。撮影の履歴が残っていた場合には、処理はステップＳ１０５に進む。その後、図８のフローチャートの動作と同様に処理が行われる。
【００５４】
第３実施形態の商品販売システム１では、携帯端末２が２次元コードから商品ＩＤや課金コード情報を取得する場合、その携帯端末２がカメラ等で２次元コードから取得したという証拠として、端末のカメラ使用日時情報などの履歴を記録する。これによって、誤った購入情報が作成される不具合を抑制することが可能となる。
【００５５】
［第４実施形態］
以下に、図面を参照して、本願発明の第４実施形態について説明を行なう。第４実施形態の商品販売システム１は、以前に商品を購入した際の残金に関する情報を備えている。また、第４実施形態の会員情報管理サーバ３は、作成された課金コード情報から、誰がいつ課金情報を作成したかの情報を入手し、会員ＩＤと紐づけることで残金管理を行なう機能を備えている。
【００５６】
図１５は、第４実施形態の会員情報管理テーブル２３の構成を例示する図である。図１５に示されているように、第４実施形態の会員情報管理テーブル２３は、残金４３を含んでいる。
【００５７】
図１６は、第４実施形態の動作を例示するシーケンス図である。図１６に示されているように、第４実施形態の商品販売システム１は、ステップＦ０７の処理を行なった後、ステップＦ０８の処理を行なう前に、ステップＦ４１の処理を実行する。ステップＦ４１において、認証サーバ４は、会員ＩＤを含めた課金情報を生成し、課金情報を会員情報管理サーバ３に供給する。ステップＦ４２において、会員情報管理サーバ３は、受け取った課金情報に含まれる会員ＩＤに対応する会員情報を抽出する。ステップＦ４３において、抽出した会員情報の残金４３に、金額が記載されている場合、その金額に課金情報に含まれる上限金額を加算して会員情報管理テーブル２３を更新する。
【００５８】
その後、ステップＦ５１において、ユーザが、購入対象の商品の購入の意思を決定したとき、携帯端末２から購入情報を会員情報管理サーバ３に送信する。ステップＦ５２において、会員情報管理サーバ３は、送信された購入情報を受信する。ステップＦ５３において、購入情報に含まれる会員ＩＤに基づいて、対応する会員情報を抽出する。ステップＦ５４において、会員情報の残金４３に金額が記載されているときは、その金額から購入金額を減算して会員情報管理テーブル２３を更新する。なお、残金が更新されると、更新された残金の金額を携帯端末に送信しても良い。
【００５９】
以上、本願発明の実施の形態を具体的に説明した。本願発明は上述の実施の形態に限定されるものではなく、その要旨を逸脱しない範囲で種々変更可能である。例えば、販売される対象を商品である場合を例示したが、その商品が、物品限らずサービスも含まれる。また、上記の複数の実施形態は、その構成・動作に矛盾が生じない範囲において合わせて実施することが可能である。
【符号の説明】
【００６０】
１…商品販売システム
２…携帯端末
３…会員情報管理サーバ
４…認証サーバ
５…商品情報管理サーバ
６…ユーザ端末装置
７…２次元コード表示用メディア
１１…カメラ
１２…デコード部
１３…課金コード情報保持部
１４…購入情報生成部
１５…購入情報送信部
２１…課金コード情報
２２…購入情報
２３…会員情報管理テーブル
２４…購入者情報管理テーブル
２５…会員情報
２６…ユーザ認証実行部
２７…課金コード情報生成部
２８…課金情報
２９…課金コードＩＤ
３１…商品情報テーブル
３２…商品情報
３３…表示部
３４…入力部
４１…課金２次元コード
４２…商品２次元コード
４３…残金
【図１】
0005634430.tif 000002
【図２Ａ】
0005634430.tif 000003
【図２Ｂ】
0005634430.tif 000004
【図３】
0005634430.tif 000005
【図４】
0005634430.tif 000006
【図５】
0005634430.tif 000007
【図６Ａ】
0005634430.tif 000008
【図６Ｂ】
0005634430.tif 000009
【図７Ａ】
0005634430.tif 000010
【図７Ｂ】
0005634430.tif 000011
【図８】
0005634430.tif 000012
【図９】
0005634430.tif 000013
【図１０】
0005634430.tif 000014
【図１１】
0005634430.tif 000015
【図１２】
0005634430.tif 000016
【図１３】
0005634430.tif 000017
【図１４】
0005634430.tif 000018
【図１５】
0005634430.tif 000019
【図１６】
0005634430.tif 000020